(57)【要約】【課題】従来、火力発電所のボイラ建屋内のドレンからの高温排水はブロータンクに集められ、ブロータンクから排水槽に至る排水管路において、冷却水のみによって減温していた。また、排水温度の制御は、ブロータンク出口直後の温度によって冷却水の量を制御していたため、排水槽に流入する排水の温度を正確に制御できないと共に、冷却水の量の増加につながる課題があった。【解決手段】火力発電所のボイラ建屋内に設置した各種ドレン２の高温排水を集めたブロータンク１から排水槽５に向かう排水管路に、冷却水４により減温する減温器３を設けて減温すると共に、ボイラ建屋への流入空気を利用するクーリング装置６により空気冷却し、クーリング後の排水温度により前記減温器３の冷却水量を制御してなるブロータンク排水冷却方法とそのシステム。【選択図】図１
2009243727.tif 000002
【特許請求の範囲】
【請求項１】
火力発電所のボイラ建屋内に設置した各種ドレンからの高温排水を集めたブロータンクから排水槽に向かう排水管路に冷却水により減温する減温器を設けて減温すると共に、ボイラ建屋への流入空気を利用するクーリング装置を設けて空気冷却し、クーリング後の排水温度を検出して前記減温器の冷却水量を制御してなるブロータンク排水冷却方法。
【請求項２】
請求項１に記載のブロータンク排水冷却方法において、ボイラ建屋の負圧による流入空気を利用して冷却するクーリング装置を設けてなるブロータンク排水冷却方法。
【請求項３】
請求項１又は２に記載のブロータンク排水冷却方法において、ボイラ建屋の側壁部に空気流入口部を設けてなるブロータンク排水冷却方法。
【請求項４】
請求項１、２又は３に記載のブロータンク排水冷却方法において、クーリング装置をボイラ建屋の外に設けてなるブロータンク排水冷却方法。
【請求項５】
火力発電所のボイラ建屋内に設置した各種ドレンからの高温排水をブロータンクに集め、更に排水槽に排水する排水管路の途中に、高温排水を冷却水により減温する減温器を設けると共に、ボイラ建屋への流入空気を利用して冷却するクーリング装置を設け、排水槽に向かうクーリング後の排水温度を検出して前記減温器の冷却水量を制御してなるブロータンク排水冷却システム。
【請求項６】
請求項５に記載のブロータンク排水冷却方法において、ボイラ建屋の負圧による流入空気を利用して冷却するクーリング装置を設けてなるブロータンク排水冷却システム。
【請求項７】
請求項５又は６に記載のブロータンク排水冷却方法において、ボイラ建屋の側壁部に空気流入口部を設けてなるブロータンク排水冷却システム。
【請求項８】
請求項５、６又は７に記載のブロータンク排水冷却方法において、クーリング装置をボイラ建屋の外に設けてなるブロータンク排水冷却システム。
【発明の詳細な説明】
【技術分野】
【０００１】
本発明は、火力発電所のボイラ建屋内に設置した各種ドレンからの高温排水を集めたブロータンクから排水槽に排水する間に、高温排水を減温、冷却する方法とシステムに関する。
【背景技術】
【０００２】
従来、火力発電所のボイラ建屋内に設置した蒸気配管のドレンからの高温排水や、ボイラ圧力降下のためのブロー時の高温排水はブロータンクに集められ、集められた高温排水はブロータンクから排水槽に至る排水管路において、冷却水のみによって冷却していた。
また、排水槽に流入する排水の流入温度の制御は、ブロータンク出口直後の温度によって作動する温度調整弁で冷却水の量を制御して行っていた。
【発明の開示】
【発明が解決しようとする課題】
【０００３】
そのため、排水槽に流入する排水の温度を正確に制御できない恐れがあると共に、冷却水の量の増加につながる課題があった。
【課題を解決するための手段】
【０００４】
そこで、本発明は、火力発電所のボイラ建屋内に設置した各種ドレンからの高温排水を集めたブロータンクから排水槽に向かう排水管路に冷却水により減温する減温器を設けて減温すると共に、ボイラ建屋への流入空気を利用するクーリング装置を設けて空気冷却し、クーリング後の排水温度を検出して前記減温器の冷却水量を制御してなるブロータンク排水冷却方法とそのシステムを提供するものである。
【０００５】
また、本発明は、上記のブロータンク排水冷却方法とそのシステムにおいて、ボイラ建屋の負圧による流入空気を利用して冷却するクーリング装置を設けてなるブロータンク排水冷却方法とそのシステムを提供するものである。
【０００６】
また、本発明は、上記のブロータンク排水冷却方法とそのシステムにおいて、ボイラ建屋の側壁部に空気流入口部を設けてなるブロータンク排水冷却方法とそのシステムを提供するものである。
【０００７】
また、本発明は、上記のブロータンク排水冷却方法とそのシステムにおいて、クーリング装置をボイラ建屋の外に設けてなるブロータンク排水冷却方法とそのシステムを提供するものである。
【発明の効果】
【０００８】
本発明に係るブロータンク排水冷却方法とそのシステムによれば、火力発電所のボイラ建屋内に設置した各種ドレンからの高温排水を集めたブロータンクから排水槽に向かう排水管路に冷却水により減温する減温器を設けて減温すると共に、ボイラ建屋への流入空気を利用するクーリング装置を設けて空気冷却し、クーリング後の排水温度を検出して前記減温器の冷却水量を制御してなる構成を有することにより、ブロータンクから排水槽に向かう高温排水を、ボイラ建屋への流入空気を利用してクーリング装置により空気冷却することができるから、それだけ安価で簡便なクーリング装置で冷却できるのみならず、減温器の冷却水による冷却率を低くすることができるから冷却水の量を減らすことができると共に、空気冷却によるクーリング後の排水槽に流入する排水の温度を検出して、減温器の冷却水量を制御することにより、正確且つ確実に排水温度の冷却ができる効果がある。
【０００９】
また、本発明は、上記のブロータンク排水冷却方法とそのシステムにおいて、ボイラ建屋の負圧による流入空気を利用して冷却するクーリング装置を設けてなる構成を有することにより、送風機等を必要としないで安価且つ確実にクーリング装置を構成することができる効果がある。
【００１０】
また、本発明は、上記のブロータンク排水冷却方法とそのシステムにおいて、ボイラ建屋の側壁部に空気流入口部を設けてなる構成を有することにより、ボイラ建屋の側壁部に空気流入口部を設けることができると共に、側壁部に沿った場所を取らない位置にクーリング装置を設けることができる効果がある。
【００１１】
また、本発明は、上記のブロータンク排水冷却方法とそのシステムにおいて、クーリング装置をボイラ建屋の外に設けてなる構成を有することにより、クーリング装置がボイラ建屋内で邪魔にならないと共に、外気を十分に利用して冷却することができる効果がある。
【発明を実施するための最良の形態】
【００１２】
以下図示する実施例により本発明を説明する。
【実施例１】
【００１３】
図示する実施例において、１はブロータンクで、火力発電所のボイラ建屋内に配置された主蒸管ドレン、火炉バーナ部スートブロワドレン、過熱器部スートブロワドレン、主給水管ドレン等の各種ドレン２から高温排水が導入されるように構成してある。ブロータンク１内の高温排水は、開閉弁２１を有する排水管路１１を介して減温器３に導入され、冷却水４によって減温され、排水槽５に送られるように構成してある。
本発明に係るブロータンク１の排水冷却システムでは、減温器３から排水槽５に至る排水管路１２、１５、１６には、ボイラ建屋内に流入する流入空気により排水を冷却するクーリング装置６が、配水管路１３，１４を介して設けてある。
２２、２３，２４はそれぞれ排水管路１５、１３、１４に設けた開閉弁であり、排水管路１５の開閉弁２２を閉じて排水管路１３，１４の開閉弁２３，２４を開くことによって、クーリング装置６に減温器３から排水を導入してから排水槽５に送ることができるように構成してある。
本発明の場合、ボイラ建屋内の空気が外部に飛散しないようにボイラ建屋内に負圧を与えて、常時、外気がボイラ建屋内に流入するように構成した、ボイラ建屋の側壁部に設けた空気流入口部の近傍に隣接してクーリング装置６は設けてあり、クーリング装置６の冷却管が流入空気によって冷却されるように構成してある。
クーリング装置６の冷却管は、建屋内側に設けてあっても空気流入口部に設けてあっても良いが、外に設けてあるほうが、ボイラ建屋内で邪魔にならないと共に、外気を十分に利用して冷却することができる効果がある。
７は排水温度検出部で、クーリング装置６と排水槽５との排水管路１４，１６の間に設けてある。実施例では、排水温度検出部７は排水槽５の近傍の排水管路１６に設けてあり、クーリング装置６の空気冷却によるクーリング後の排水槽５に流入する排水の温度を検出し、その検出温度に基づいて前記減温器３の冷却水４の水量を自動制御弁８によって制御することにより、減温器３による高温排水の減温状態を制御して、冷却水の使用を少なくして正確且つ効率的に排水温度の冷却ができるように構成してある。
【図面の簡単な説明】
【００１４】
【図１】本発明システムの原理を概略的に示す説明図。
【符号の説明】
【００１５】
１    ブロータンク
２    各種ドレン
３    減温器
４    冷却水
５    排水槽
６    クーリング装置
７    排水温度検出部
８    自動制御弁
１１〜１６  排水管路
２１〜２４  開閉弁
【図１】
2009243727.tif 000003